【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
円環状に形成された第１電極及び前記第１電極の周囲の少なくとも一部を覆う加圧されることにより電気的特性が変化する感圧部材からなる円環状の圧力感応部と、
前記圧力感応部の表面に形成された複数の第２電極と、
前記第１電極に接続された第１リード線と、
前記複数の第２電極にそれぞれ接続された複数の第２リード線と、
を有する圧力センサーであって、
非導電性布部に平面視で直線状かつ平行に互いに離間して織り込まれ又は縫い込まれた複数の導電性糸を有する異方導電性布を有し、
前記圧力感応部の少なくとも一部は、前記異方導電性布の複数の導電性糸が前記第１電極の延在方向とは交差する方向となるように、前記異方導電性布で被覆されており、
前記異方導電性布の複数の導電性糸が前記複数の第２電極を構成している、
圧力センサー。
【請求項２】
前記異方導電性布は折り返された二重円筒形状を有し、
前記圧力感応部の少なくとも一部は、前記二重円筒形状の内面側において、前記異方導電性布の複数の導電性糸が前記第１電極の延在方向とは交差する方向となるように、前記異方導電性布で被覆されている、
請求項１に記載の圧力センサー。
【請求項３】
前記異方導電性布の外表面は防水部材によって被覆されている、請求項１又は２に記載の圧力センサー。
【請求項４】
さらに、前記二重円筒形状の異方導電性布間には、別の円環状に形成された第１電極及び前記第１電極の周囲の少なくとも一部を覆う加圧されることにより電気的特性が変化する感圧部材からなる円環状の圧力感応部が少なくとも１個以上設けられている、請求項２又は３に記載の圧力センサー。
【請求項５】
前記感圧部材は折り返された二重円筒形状を有し、
前記第１電極は前記感圧部材の折り返された位置の内面側に配置されている、
請求項２又は３に記載の圧力センサー。
【請求項６】
さらに、前記二重円筒形状の感圧部材間には、別の円環状に形成された第１電極が少なくとも１個以上設けられている、請求項５に記載の圧力センサー。
【請求項７】
前記円環状に形成された第１電極は円筒状の支持部材の一方の端部上に載置されており、
前記感圧部材は前記円筒状の支持部材の一方側の表面から円環状に形成された第１電極の表面を経て前記円筒状の支持部材の他方側の表面に折り返されている、
請求項５に記載の圧力センサー。
【請求項８】
前記円環状の圧力感応部は円筒状の支持部材の一方の端部上に載置されており、
前記異方導電性布は前記円筒状の支持部材の一方側の表面から前記感圧部材の表面を経て前記円筒状の支持部材の他方側の表面に折り返されている、
請求項５に記載の圧力センサー。
【請求項９】
前記圧力センサーは、前記内視鏡スコープの挿入部の先端外周側に取り付け及び取り外し可能なフードキャップ型とされている、請求項１〜８のいずれかに記載の圧力センサー。
【請求項１０】
さらに平面視で直線状かつ平行に、互いに離間して配置された異方導電性布を備え、
前記異方導電性布における前記複数の導電性糸が前記第１電極に接続された第１リード線及び前記複数の第２電極にそれぞれ接続された複数の第２リード線を兼ねている、請求項９に記載の圧力センサー。
【請求項１１】
前記異方導電性布は、前記複数の導電性糸が細線状の絶縁性部材に沿うように、前記細線状の絶縁性部材の表面に巻き付けられて細径ケーブルを形成している、請求項９又は１０に記載の圧力センサー。
【請求項１２】
内視鏡スコープと、
前記内視鏡スコープの挿入部の先端外周側又は前記内視鏡スコープの挿入部の屈曲部位の外周に取り付けられた請求項１〜１１のいずれかに記載の少なくとも１以上の圧力センサーと、
を備えた圧力センサー付き内視鏡スコープ。
【請求項１３】
自走機能を備えた内視鏡スコープと、
前記内視鏡スコープの挿入部の先端外周側又は前記内視鏡スコープの挿入部の屈曲部位の外周に取り付けられた請求項１〜１１のいずれかに記載の少なくとも１以上の圧力センサーと、
を備えた圧力センサー付き内視鏡スコープ。
【手続補正２】
【補正対象書類名】明細書
【補正対象項目名】００１０
【補正方法】変更
【補正の内容】
【００１０】
本発明の第１の態様の圧力センサーによれば、
円環状に形成された第１電極及び前記第１電極の周囲の少なくとも一部を覆う加圧されることにより電気的特性が変化する感圧部材からなる円環状の圧力感応部と、
前記圧力感応部の表面に形成された複数の第２電極と、
前記第１電極に接続された第１リード線と、
前記複数の第２電極にそれぞれ接続された複数の第２リード線と、
を有する圧力センサーであって、
非導電性布部に平面視で直線状かつ平行に互いに離間して織り込まれ又は縫い込まれた複数の導電性糸を有する異方導電性布を有し、
前記圧力感応部の少なくとも一部は、前記異方導電性布の複数の導電性糸が前記第１電極の延在方向とは交差する方向となるように、前記異方導電性布で被覆されており、
前記異方導電性布の複数の導電性糸が前記複数の第２電極を構成している、
圧力センサーが提供される。
係る態様の圧力センサーにおいては、前記異方導電性布は折り返された二重円筒形状を有し、前記圧力感応部の少なくとも一部は、前記二重円筒形状の内面側において、前記異方導電性布の複数の導電性糸が前記第１電極の延在方向とは交差する方向となるように、前記異方導電性布で被覆されているものとしてもよい。
【手続補正３】
【補正対象書類名】明細書
【補正対象項目名】００１５
【補正方法】変更
【補正の内容】
【００１５】
係る態様の圧力センサーにおいては、さらに、前記二重円筒形状の異方導電性布間には、別の円環状に形成された第１電極及び前記第１電極の周囲の少なくとも一部を覆う加圧されることにより電気的特性が変化する感圧部材からなる円環状の圧力感応部が少なくとも１個以上設けられているものしてもよい。このような構成を備えていると、内視鏡スコープの先端部外周に取り付けて使用すると、先端側に加わる圧力分布だけでなく、先端部の側面に加わる圧力も測定することができるようになる。
【手続補正４】
【補正対象書類名】明細書
【補正対象項目名】００１６
【補正方法】変更
【補正の内容】
【００１６】
係る態様の圧力センサーにおいては、前記感圧部材は折り返された二重円筒形状を有し、前記第１電極は前記感圧部材の折り返された位置の内面側に配置されているものとしてもよく、さらに、前記二重円筒形状の感圧部材間には、別の円環状に形成された第１電極が少なくとも１個以上設けられているものとしてもよい。このような構成を備えている場合も、容易に内視鏡スコープの挿入部の先端外周側に取り付けることができる、先端の圧力感応部が円環状であり、全体形状が円筒状の圧力センサーが得られる。さらに、後者の構成を採用した場合においては、内視鏡スコープの先端部外周に取り付けて使用すると、先端側に加わる圧力分布だけでなく、先端部の側面に加わる圧力も測定することができるようになる。
【手続補正５】
【補正対象書類名】明細書
【補正対象項目名】００２０
【補正方法】変更
【補正の内容】
【００２０】
係る態様の圧力センサーにおいては、前記圧力センサーは、内視鏡スコープの挿入部の先端外周側に取り付け及び取り外し可能なフードキャップ型とされていることが好ましい。このような構成を採用すれば、従来の市販の内視鏡スコープに対して何らの加工を施さなくても、圧力センサーをそのまま簡単に取り付けて使用することができるようになる。
【手続補正６】
【補正対象書類名】明細書
【補正対象項目名】００２１
【補正方法】変更
【補正の内容】
【００２１】
係る態様の圧力センサーにおいては、さらに平面視で直線状かつ平行に、互いに離間して複数の導電性糸が織り込まれ又は縫い込まれた異方導電性布を備え、前記異方導電性布における前記複数の導電性糸が前記第１リード線及び前記複数の第２リード線を兼ねているものとしてもよい。この場合においては、前記異方導電性布は、前記複数の導電性糸が細線状の絶縁性部材に沿うように、前記細線状の絶縁性部材の表面に巻き付けられて細径ケーブルを形成しているものとすることができる。
【手続補正７】
【補正対象書類名】明細書
【補正対象項目名】００２２
【補正方法】変更
【補正の内容】
【００２２】
細い複数のリード線を用いると絡みやすいが、異方導電性布の複数の導電性糸を第１リード線及び複数の第２リード線として兼用すると、複数の導電性糸は固定されているために絡むことがなくなり、配線が容易となる。
【手続補正８】
【補正対象書類名】明細書
【補正対象項目名】００２３
【補正方法】変更
【補正の内容】
【００２３】
さらに、本発明の第２の態様の圧力センサー付き内視鏡スコープによれば、内視鏡スコープと、前記内視鏡スコープの挿入部の先端外周側又は前記内視鏡スコープの挿入部の屈曲部位の外周に取り付けられた上記いずれかに記載の圧力センサーと、を備えた圧力センサー付き内視鏡スコープが提供される。
【手続補正９】
【補正対象書類名】明細書
【補正対象項目名】００２４
【補正方法】変更
【補正の内容】
【００２４】
第２の態様の圧力センサー付き内視鏡スコープにおいては、圧力センサーが小型、薄型化されているため、圧力センサーが設けられた状態でも内視鏡スコープの挿入部の先端側における外径の増大化が小さく、従来の市販の内視鏡スコープと同等の体腔内への挿入性及び操作性を備えている。加えて、第２の態様の圧力センサー付き内視鏡スコープを体腔内へ挿入して操作する際、圧力センサーに加わった圧力とその位置、すなわち体腔に加わった圧力とその内視鏡スコープ側から見た位置を高感度かつ高精細に検知できるので、操作者はそれに合わせて内視鏡スコープを操作することができ、体腔穿孔のおそれを大きく低減することができるようになる。
【手続補正１０】
【補正対象書類名】明細書
【補正対象項目名】００２５
【補正方法】変更
【補正の内容】
【００２５】
しかも、圧力センサーとして、二重円筒形状の異方導電性布間に別の円環状に形成された第１電極及びこの第１電極の周囲の少なくとも一部を覆う加圧されることにより電気的特性が変化する感圧部材からなる円環状の圧力感応部が少なくとも１個以上設けられているもの、あるいは、二重円筒形状の感圧部材間に別の円環状に形成された第１電極が少なくとも１個設けられているものを用いた場合には、内視鏡スコープの先端側側面における圧力分布も測定することができるようになる。加えて、追加された圧力感応部ないし第１電極の少なくとも一つを内視鏡スコープの屈曲部に位置するように構成すると、屈曲部における接触圧力を検出できるだけでなく、他の圧力感応部により測定された圧力分布をも勘案すると、体腔内における内視鏡スコープの先端側の屈曲方向を検出することができるようになるので、操作者はそれに合わせて内視鏡スコープの先端側の屈曲方向を適宜に操作することができ、内視鏡スコープの屈曲部による体腔穿孔のおそれも低減することができるようになる。
【手続補正１１】
【補正対象書類名】明細書
【補正対象項目名】００２６
【補正方法】変更
【補正の内容】
【００２６】
また、第３の態様の圧力センサー付き内視鏡スコープによれば、自走機能を備えた内視鏡スコープと、前記内視鏡スコープの挿入部の先端外周側又は前記内視鏡スコープの挿入部の屈曲部位の外周に取り付けられた上記いずれかに記載の少なくとも１以上の圧力センサーと、を備えた圧力センサー付き内視鏡スコープが提供される。
係る態様の内視鏡スコープによれば、自走機能を備えていながら、第２の態様の圧力センサー付き内視鏡スコープと同様の作用効果を奏することができる圧力センサー付き内視鏡スコープとなる。